(57)【要約】【課題】製造が容易な商品陳列用袋を提供する。【解決手段】ヘッダー用紙２０の端片２０ｘが、接着剤を介して両フィルム１０Ａ，１０Ｂに対して接着されているとともに、前記表面フィルム１０Ａの上端縁を被覆して前記袋体１０の開口１１が封止されていることを特徴とする商品陳列用袋により解決される。【選択図】図１
2006188254.tif 000002
【特許請求の範囲】
【請求項１】
表側フィルムおよび裏側フィルムの両側縁および下縁が連結された袋体と、一方の面の一部または全面に接着剤が塗布されたヘッダー用紙と、を備え、
前記裏側フィルムが、前記表側フィルムの上縁よりもさらに上方に延出され、
前記ヘッダー用紙が、接着剤塗布面を内側にして二つ折りにされ、  
前記裏側フィルムの延出部上端縁が、前記ヘッダー用紙の折り底線に沿って位置され、
前記ヘッダー用紙の端片が、接着剤を介して両フィルムに対して接着されているとともに、前記表面フィルムの上端縁を被覆して前記袋体の開口が封止されていることを特徴とする商品陳列用袋。
【請求項２】
前記ヘッダー用紙が、前記表側フィルムおよび裏側フィルムに対して、再剥離および再接着可能とされている請求項１に記載の商品陳列用袋。
【請求項３】
前記ヘッダー用紙が、接着塗布面と反対の面にインク受容層を備えるインクジェット記録用紙、またはＮＩＰ用紙である請求項１または２に記載の商品陳列用袋。
【請求項４】
ヘッダー用紙および裏側フィルムの延出部を貫通して陳列用孔が設けられている請求項１〜３の何れか１項に記載の商品陳列用袋。
【請求項５】
ヘッダー用紙の折り線がミシン目で形成されている請求項１〜４の何れか１項に記載の商品陳列用袋。
【請求項６】
ヘッダー用紙の表側フィルムに対向する側の端片の先端縁部には接着剤が塗布されておらず、フィルムに対して接着性を示さない摘み部とされている請求項１〜５の何れか１項に記載の商品陳列用袋。
【請求項７】
前記ヘッダー用紙の折り線に沿って接着剤が塗布されていない非接着剤塗布部が設けられている請求項１〜６の何れか１項に記載の商品陳列用袋。
【発明の詳細な説明】
【技術分野】
【０００１】
本発明は、ヒューズ、端子、トランジスター、ダイオードなどの電子部品、電球、豆球、点灯管、テーブルタップなどの電気用品、ネジ、ボルト、ナット、釘などの金物類、指輪、イヤリング、ピアスなどの宝飾品、ビー玉、ビーズ、花火などの玩具、クリップ、消しゴム、輪ゴムなどの文具類など各種の商品を陳列するための商品陳列用袋に関するものである。
【背景技術】
【０００２】
従来、この種の商品陳列用袋は、上方を開口させた略縦長の長方形状の袋体と、米坪１００ｇ／ｍ2程度の厚手の板紙を二つ折りして作成されたヘッダーとで構成され、前記袋体の開口から袋体内に各種の小型の商品を収容し、袋体の開口寄りの上部を二つ折りにしたヘッダーの支持片間に挟み込み、ステープラーによって袋体と支持片とを固定して、袋体の開口を封止して製造される。ヘッダーには、通常、２つ折り状態で相対向する位置に一対の吊り下げ用穴部が穿設され、この穴部を介して棚や壁に取着した棒状の陳列商品収容袋用吊り下げ具に吊り下げて利用することが可能とされる。
【特許文献１】特開２００４−２７６９２９
【特許文献２】特開２００４−１７５４０７
【特許文献３】特開２００３−１５５０４２
【特許文献４】特開２００３−１０４３９６
【特許文献５】特開２００３−０８１２９２
【特許文献６】特開２００２−０５１８８２
【特許文献７】特開２００１−３４１７７５
【特許文献８】特開２００１−１８０７４４
【特許文献９】特開２００１−１１４３０３
【特許文献１０】特開平１１−３１４６４７
【特許文献１１】特開平１１−２３６０５８
【発明の開示】
【発明が解決しようとする課題】
【０００３】
しかしながら、従来の商品陳列用袋は、（１）製造時に袋体とヘッダーの位置がずれて不良品が出やすい。（２）上記のような不良品を出さないようにするため、作業は慎重とならざるを得なくなり、作業者は大きな負担を強いられるため、時間当たりの生産量を高めにくい。（３）袋体とヘッダーとをステープルで固定するため、袋体を強い力で引っ張るとステープルで固定している部分に集中的に力が加わり、この袋体がその固定している部分から裂けてしまうので、袋体として使用できる材質が強度性の良いものに限られる。（４）ユーザーが開封する際に鋭利なステープラーが散在したり、ステープラー先端でけがしたりすることがある。（５）一度開封すると袋体の開口を再度封止することができず、内容物を使い切らない場合には不便である。（６）ヘッダー部に板紙を用いるため、少量ロットに対応可能なインクジェット印刷機などによる印刷に適さない。
【０００４】
そこで、本発明は、上記従来の課題を解決するものであり、ステープラーによる打ち込み作業をなくし、作業の軽減化を図れると共に、簡易にヘッダーに印刷することが可能な商品陳列用袋を提供することを目的とする。
【課題を解決するための手段】
【０００５】
上記課題を解決した本発明は次記のとおりである。
＜請求項１記載の発明＞
表側フィルムおよび裏側フィルムの両側縁および下縁が連結された袋体と、一方の面の一部または全面に接着剤が塗布されたヘッダー用紙とを備え、
前記裏側フィルムが、前記表側フィルムの上縁よりもさらに上方に延出され、
前記ヘッダー用紙が、接着剤塗布面を内側にして二つ折りにされ、
前記裏側フィルムの延出部上端縁が、前記ヘッダー用紙の折り底線に沿って位置され、
前記ヘッダー用紙の端片が、接着剤を介して両フィルムに対して接着されているとともに、前記表面フィルムの上端縁を被覆して前記袋体の開口が封止されていることを特徴とする商品陳列用袋。
【０００６】
＜請求項２記載の発明＞
前記ヘッダー用紙が、前記表側フィルムおよび裏側フィルムに対して、再剥離および再接着可能とされている請求項１に記載の商品陳列用袋。
【０００７】
＜請求項３記載の発明＞
前記ヘッダー用紙が、接着塗布面と反対の面にインク受容層を備えるインクジェット記録用紙、またはＮＩＰ用紙である請求項１または２に記載の商品陳列用袋。
【０００８】
＜請求項４記載の発明＞
ヘッダー用紙および裏側フィルムの延出部を貫通して陳列用孔が設けられている請求項１〜３の何れか１項に記載の商品陳列用袋。
【０００９】
＜請求項５記載の発明＞
ヘッダー用紙の折り線がミシン目で形成されている請求項１〜４の何れか１項に記載の商品陳列用袋。
【００１０】
＜請求項６記載の発明＞
ヘッダー用紙の表側フィルムに対向する側の端片の先端縁部には接着剤が塗布されておらず、フィルムに対して接着性を示さない摘み部とされている請求項１〜５の何れか１項に記載の商品陳列用袋。
【００１１】
＜請求項７記載の発明＞
前記ヘッダー用紙の折り線に沿って接着剤が塗布されていない非接着剤塗布部が設けられている請求項１〜６の何れか１項に記載の商品陳列用袋。
【発明の効果】
【００１２】
本発明の商品陳列用袋は、裏面フィルムの延出部にヘッダー用紙を貼り付けてヘッダーが構成されるので、ステープラーによる固定という煩雑な操作は不用である。また、ステープルが用いられないので、開封時にステープルが飛散したり、けがをしたりする危険もない。
【００１３】
ヘッダー用紙を、裏側および表側の各フィルムに対して、再剥離および再接着可能とすれば、袋体の開口を一旦開いて内容物を取り出したのちに当該開口を再度封止することが可能となる。
【００１４】
ヘッダー用紙をインクジェット記録用紙とすれば、広く普及しているインクジェット印刷機などで簡易に印字・印刷が可能となり、小ロットの商品に対応しやすくなる。
【００１５】
ヘッダー用紙および裏側フィルムの延出部を貫通して陳列用孔が設けられていると、棚や壁に取着した棒状の陳列商品収容袋用吊り下げ具に吊り下げて利用することが可能となる。
【００１６】
ヘッダー用紙の折り線がミシン目で形成されていると、ヘッダー用紙を二つ折りにしやすくなる。
【００１７】
ヘッダー用紙の表側フィルムに対向する側の端片の先端縁部には接着剤が塗布されておらず、フィルムに対して接着性を示さない摘み部とされていると、開封が容易となる。
【００１８】
折り線に沿って非接着剤塗布部を設けると、裏側フィルムの上端縁を折り線に位置せしめやすくなり、製造を容易にすることができる。
【発明を実施するための最良の形態】
【００１９】
次いで、本発明の商品陳列用袋を図１〜５を参照しながら詳述する。
本発明の商品陳列用袋１は、商品の収容および取り出しを行う開口１１を備える袋体１０と、一方の面の一部または全面に接着剤が塗布されたヘッダー用紙２０と、を備える。
【００２０】
袋体１０は、表側フィルム１０Ａと裏側フィルム１０Ｂとが積層された状態で、これらの両側縁１０ｓおよび下縁１０ｕが熱融着により接合されて形成されている。なお、一枚のフィルムを二つ折りにして折り返し縁を下縁とし、両側縁を熱融着して袋体を構成してもよい。また、表側フィルム１０Ａと裏側フィルム１０Ｂとの連結は、熱融着に限られず、既知の接着剤によって接着してもよい。
【００２１】
前記裏側フィルム１０Ｂは、前記表側フィルム１０Ａの上端縁１０ａよりも上方に延出されており、前記表側フィルム１０Ａの上端縁１０ａと裏面フィルム１０Ｂとの間に開口１１が形成されている。この開口１１より商品等の収容物の出し入れを行う。裏側フィルム１０Ｂの上部延出部１２には、店頭に設置された商品陳列棚に設けられたフックや陳列用棒に通して陳列可能とするための貫通穴１２ｈが形成されており、陳列がしやすいようになっている。
【００２２】
前記表側フィルム１０Ａおよび裏側フィルム１０Ｂの素材は特に限定されるものではなく、従来既知の商品陳列用袋１に用いられている袋体１０と同様の素材を用いることができる。ただし本発明では裏側フォルム１０Ｂの上部の延出部１２がヘッダーの構成要素となるので上部延出部１２については若干の剛性があるのが望ましい。また、少なくとも表側フィルム１０Ａは、収容物が外部から視認可能となるように透明フィルムとするのが望ましい。表裏各側フィルムは、例えば、１０μｍ〜１ｍｍ程度の厚さのポリオレフィン系フィルム、ＰＥＴフィルムが好適である。
【００２３】
一方、ヘッダー用紙２０は、バージンパルプを原料とする上質紙、古紙パルプを原料とする再生紙、合成紙など、各種用紙の一方の面に接着剤を塗布して形成する。前記ヘッダー用紙２０は、袋体１０と一体化させる前に、各種の印刷を施すことができる。ＮＩＰ（ノンインパクト）プリンターでの用紙搬送性やトナー定着性を適宜調整した従来既知のＮＩＰ用紙や、カチオン性インク定着剤等を含有せしめたインク受容層を備える坪量６０〜３００ｇ／ｍ2のインクジェット記録用紙を用いると、広く普及しているレーザープリンターやインクジェット記録装置を用いてヘッダー用紙に各種印刷を簡易に施すことができ好適である。
【００２４】
ヘッダー用紙１０に用いる接着剤は、表裏各フィルム１０Ａ，１０Ｂに対して接着性を示すものであれば特に限定されない。後述するが本発明にかかる商品陳列用袋においてこのヘッダー用紙２０は、袋体１０Ａの開口１１を封止する役目をも果たす。従って、当該接着剤を非剥離性接着剤に対してこれに非親和性を示す微粒子充填材を含有せしめて接着力を調整したり、粘着性の接着剤を用いたりして、表裏各フィルム１０Ａ，１０Ｂに対して再接着および再剥離可能とすることにより、一旦袋体１０を開口して収容物を取り出したのちに、再度開口を封止可能となり、取り扱いがしやすい商品陳列用袋１となる。接着剤の具体例としては、溶剤系・エマルジョン系の弱粘、強粘、再剥離系等の接着剤が挙げられる。接着剤の塗布方法は、印刷機あるいは塗工機を用いて塗布することができる。
【００２５】
他方、ヘッダー用紙２０にも袋体１０と同様に貫通孔２２が設けられている。この貫通孔２２は、袋体１０と一体化したときに、前記袋体１０の延出部１２に設けられた貫通孔１２ｈに対応する位置に設けられ、袋体とともに商品陳列用袋を構成したさいに、前記袋体の貫通孔１２ｈと一体となって店頭に設置された商品陳列棚に設けられたフックや陳列用棒を通すための陳列用孔３となる。
【００２６】
ヘッダー用紙２０は、二つ折りしやすいように、例えば、図示例の如く予め中央部にミシン目による折り線２１を設けるのが望ましい。また、この折り線２１の近傍には接着剤を塗布せずに非接着部２３とするのが望ましい。さらに、ヘッダー用紙２０の端片のうち表側フィルム１０Ａに重ね合わせる側の端片２０ｘの端縁部２４にも接着剤を塗布しないのが望ましい。かかる接着剤非塗布部分２４は、袋体１０と一体化させたときに摘み部となって、商品陳列用袋の開封を容易とする。
【００２７】
ヘッダー用紙２０と前記袋体１０とは一体化して商品陳列用袋１を製造する。ヘッダー用紙２０を、前記接着剤塗布面２０Ａを内側にして二つに折り曲げて、裏側フィルム１０Ｂの延出部上端縁１２ｅをその折り底に沿って位置せしめたのち、ヘッダー用紙２０の端片２０ｘ，２０ｘを両フィルム１０Ａ，１０Ｂに重ね合わせて接着させて、袋体１０とヘッダー用紙２０とを一体化する。このとき表側フィルム１０Ａの上端縁１０ａを被覆するようにして、ヘッダー用紙２０の端片１０ｘを表側フィルム１０Ｂに重ね合わせて接着して袋体１０の開口１１が封止される。また、袋体１０とヘッダー用紙２０とを一体化するさいに、二つに折り曲げたヘッダー用紙２０の折り線２１に袋体１０の上端縁１２ｅを位置せしめると上縁１２ｅの位置合わせがしやすいので都合がよい。このとき折り線２１近傍が接着剤が塗布されていない非接着部とされていると両者１２ｅ，２０が接着されず、双方の位置の微修正ができる。
【００２８】
以上、詳述のとおり本発明の商品陳列用袋は、ステープラーによる打ち込み作業がなく、簡易な作業で製造でき、さらにヘッダーに印刷することが可能である。
【産業上の利用可能性】
【００２９】
本発明は、ヒューズ、端子、トランジスター、ダイオードなどの電子部品、電球、豆球、点灯管、テーブルタップなどの電気用品、ネジ、ボルト、ナット、釘などの金物類、指輪、イヤリング、ピアスなどの宝飾品、ビー玉、ビーズ、花火などの玩具、クリップ、消しゴム、輪ゴムなどの文具類など各種の商品を陳列するための商品陳列用袋に利用することができる。
【図面の簡単な説明】
【００３０】
【図１】本発明に商品陳列用袋の斜視図である。
【図２】本発明にかかる袋体の正面図である。
【図３】その側面図である。
【図４】本発明に係るヘッダー用紙の正面図である。
【図５】その裏面図である。
【符号の説明】
【００３１】
１…商品陳列用袋、３…陳列用孔，１０…袋体、１０Ａ…表側フィルム、１０Ｂ…裏側フィルム、１０ａ…表側フィルム上端縁、１０ｕ…袋体下縁、１０ｓ…袋体側縁、１１…袋体の開口、１２…袋体の延出部、１２ｅ…袋体上端縁（裏側フィルム上端縁，延出部上端縁）、１２ｈ…袋体の貫通孔、２０…ヘッダー用紙、２０Ａ…ヘッダー用紙の接着剤塗布面（裏面）、２０Ｂ…ヘッダー用紙の印刷面（正面）、２０ｘ…ヘッダー用紙端片、２１…折り線、２２…ヘッダー用紙の貫通孔、２３…接着剤非塗布部分、２４…接着剤非塗布部分、２５…接着剤塗布部分。
【図１】
2006188254.tif 000003
【図２】
2006188254.tif 000004
【図３】
2006188254.tif 000005
【図４】
2006188254.tif 000006
【図５】
2006188254.tif 000007